(57)【要約】【課題】天井裏空間に収まる高さの筐体を備え、かつ竿の真上から送風することができ、かつ外観のよい送風機能付き物干し昇降装置を提供することを目的としている。【解決手段】送風機能付き物干し昇降装置１は、ワイヤー７と巻き取り装置８と支持具９で竿６を昇降させ、送風ファン１０とモータ１１とケーシング１２によって衣類に向けて送風する。吹出し口の中央付近が支持具９を含む鉛直平面上に来るようにケーシング１２を配置し、サイドプレート１５の竿が通過する領域に切り欠き１６を設けることにより、図１（ｃ）のように竿６を吹出し経路１７に収納することができ、筐体２を天井裏空間に収めることができる。竿６は衣類を掛けているときは図１（ｂ）のようになり、送風ファン１０からの風を前上から衣類に当て、効率よく衣類を乾燥させることができる。また筐体２の横幅はケーシング１２の横幅と同等となり、室内から見たときに外観がよい。【選択図】図１
2008220552.tif 000002
【特許請求の範囲】
【請求項１】
天井裏空間に埋設された筐体と、衣類を掛ける竿と、前記竿を吊るワイヤーと、前記筐体に内蔵され前記ワイヤーを巻き取る巻き取り装置と、前記巻き取り装置を動かすモータと、前記筐体に内蔵され風を吹出す送風ファンと、前記送風ファンの風路を形成するケーシングと、前記送風ファンを動かすモータと、前記２個のモータを作動させるスイッチを備え、前記送風ファンの回転軸が前記竿の軸と平行になるように前記送風ファンを設置し、前記筐体内部でかつ前記送風ファンの吹出し経路に前記竿を収納できるようにしたことを特徴とする送風機能付き物干し昇降装置。
【請求項２】
所定の幅を保持して互いに平行になるように配置された２本の竿と、前記２本の竿それぞれに向けて風を吹出す送風ファンを備えた構成において、前記２個の送風ファンを前記２本の竿の収納位置に挟まれた領域に設置したことを特徴とする、請求項１記載の送風機能付き物干し昇降装置。
【請求項３】
ケーシングを揺動させるモータを備えたことを特徴とする、請求項１または２記載の送風機能付き物干し昇降装置。
【請求項４】
吹出し経路に設けられ送風ファンから吹き出された風の風向を変える風向可変手段と、前記風向可変手段を揺動させるモータを備えたことを特徴とする、請求項１または２記載の送風機能付き物干し昇降装置。
【請求項５】
吹出し経路の両側に設けられ送風ファンから吹き出された風の風向を変える風向風向可変手段と、前記風向可変手段を揺動させるモータを備え、竿に直接衣類を掛けた場合には、前記風向可変手段を用いて吹出し口の幅を狭くし、衣類に向けて集中的に送風できるようにしたことを特徴とする、請求項４記載の送風機能付き物干し昇降装置。
【請求項６】
竿を筐体内部に収納したときに、風向可変手段を吹出し口の蓋として利用できるようにしたことを特徴とする、請求項４または５記載の送風機能付き物干し昇降装置。
【請求項７】
内部に風が通る形状の竿を備えたことを特徴とする、請求項１〜６のいずれかに記載の送風機能付き物干し昇降装置。
【請求項８】
竿に内蔵され送風ファンから吹き出された風の風向を変える風向可変手段と、前記風向可変手段を揺動させるモータを備えたことを特徴とする、請求項７記載の送風機能付き物干し昇降装置。
【請求項９】
竿の内部に送風ファンから吹き出された風を温める加熱手段を備えたことを特徴とする、請求項７または８記載の送風機能付き物干し昇降装置。
【請求項１０】
送風ファンから吹き出された風を受けても竿に掛けられた干し具の位置が移動しないように、表面に凹凸がある形状の竿を備えたことを特徴とする、請求項１〜９のいずれかに記載の送風機能付き物干し昇降装置。
【請求項１１】
筐体内部に内蔵され室内の空気を排気する換気装置と、前記換気装置と屋外とを連通させるダクトを備えたことを特徴とする、請求項１〜１０のいずれかに記載の送風機能付き物干し昇降装置。
【請求項１２】
筐体が設置された室内から空気を吸い込む吸込み経路を備え、前記送風機能付き物干し昇降装置とは異なる部屋に設置され、送風機能付き物干し昇降装置を作動させるスイッチと、室内から空気を吸込む吸込み経路と、吸込み経路を切替える吸込み経路切替え手段と、前記吸込み経路切替え手段を制御する制御手段を備えた換気装置と連動して動き、前記送風機能付き物干し昇降装置と前記換気装置を連結するダクトを備え、前記送風機能付き物干し昇降装置のスイッチと前記換気装置のスイッチの状態により、前記制御手段が前記吸込み経路切替え手段を用いて前記送風機能付き物干し昇降装置と前記換気装置との間で吸込み経路を選択できるようにしたことを特徴とする、請求項１〜１１のいずれかに記載の送風機能付き物干し昇降装置。
【請求項１３】
送風機能付き物干し昇降装置を作動させるスイッチと、空気を吹出す吹出し経路と、前記吹出し経路内部に設置され吹出し空気を加熱する加熱手段と、吹出し経路を切替える吹出し経路切替え手段と、前記吹出し経路切替え手段を制御する制御手段とを備えた加熱送風装置と連動して動き、前記送風機能付き物干し昇降装置と前記加熱送風装置とを連結するダクトを備え、前記送風機能付き物干し昇降装置のスイッチと前記加熱送風装置のスイッチの状態により、前記制御手段が前記吹出し経路切替え手段を用いて前記送風機能付き物干し昇降装置と前記加熱送風装置との間で吹出し経路を選択できるようにしたことを特徴とする、請求項１〜１２のいずれかに記載の送風機能付き物干し昇降装置。
【発明の詳細な説明】
【技術分野】
【０００１】
本発明は、衣類を掛けるための竿を昇降させ、また送風により衣類の乾燥を促進する、送風機能付き物干し昇降装置に関する。
【背景技術】
【０００２】
従来の物干し昇降装置について、図８を参照しながら説明する。物干し昇降装置１０１は室内において使用され、天井裏空間に埋設された筐体１０２を備え、衣類を掛ける竿１０３をワイヤー１０４で吊り、筐体１０２に内蔵された巻き取りドラム１０５を用いてワイヤー１０４を巻き取ることにより、竿１０３を電動で自在に昇降させるものがある（例えば、特許文献１参照）。
【０００３】
また従来の送風機能付き物干し昇降装置ついて、図９を参照しながら説明する。送風機能付き物干し昇降装置１０６は同じく室内において使用され、天井裏空間に埋設された筐体１０７と筐体１０７から竿１０８を吊る吊下部材１０９を備え、筐体１０７に内蔵された送風機１１０から竿１０８に掛けられた衣類に向かって送風するものがある（例えば、特許文献２参照）。
【特許文献１】特開２００６−１０２３８２号公報
【特許文献２】実開平４−７０９７号公報
【発明の開示】
【発明が解決しようとする課題】
【０００４】
特許文献２に例示されるような従来の送風機能付き物干し昇降装置は、特許文献１に例示されるような昇降装置を筐体に内蔵しているとすると、竿とワイヤーを巻き取るための巻き取りドラムと送風機を縦に重なるように配置した場合、筐体の高さが天井裏空間の高さに制限されているため、竿が筐体内部に収納できないという課題があった。
【０００５】
一方、竿と送風機を重ならないように横にずらして配置した場合、竿の真上から送風できなくなるため送風の効率が悪いという課題があった。また巻き取りドラムと送風機を重ならないように横にずらして配置した場合、筐体の横幅が大きくなるため外観が良くないという課題があった。
【０００６】
本発明はこのような従来の課題を解決するものであり、竿を筐体内部に収納することができる送風機能付き物干し昇降装置を提供することを目的としている。
【課題を解決するための手段】
【０００７】
本発明は、前記目的を達成するために、天井裏空間に埋設された筐体と、衣類を掛ける竿と、前記竿を吊るワイヤーと、前記筐体に内蔵され前記ワイヤーを巻き取る巻き取り装置と、前記巻き取り装置を動かすモータと、前記筐体に内蔵され風を吹出す送風ファンと、前記送風ファンの風路を形成するケーシングと、前記送風ファンを動かすモータと、前記２個のモータを作動させるスイッチを備え、前記送風ファンの回転軸が前記竿の軸と平行になるように前記送風ファンを設置し、前記筐体内部でかつ前記送風ファンの吹出し経路に前記竿を収納できるようにしたことを特徴とする送風機能付き物干し昇降装置である。
【０００８】
この手段により、竿を筐体内部に収納することのできる送風機能付き物干し昇降装置が得られる。
【０００９】
また他の手段は、前記目的を達成するために、所定の幅を保持して互いに平行になるように配置された２本の竿と、前記２本の竿それぞれに向けて風を吹出す送風ファンを備えた構成において、前記２個の送風ファンを前記２本の竿の収納位置に挟まれた領域に設置したことを特徴とする送風機能付き物干し昇降装置である。
【００１０】
この手段により、２本の竿を有し、２本の竿それぞれに向けて送風することができ、かつ外観の良い送風機能付き物干し昇降装置が得られる。
【００１１】
また他の手段は、前記目的を達成するために、ケーシングを揺動させるモータを備えたことを特徴とする送風機能付き物干し昇降装置である。
【００１２】
この手段により、広範囲に送風することのできる送風機能付き物干し昇降装置が得られる。
【００１３】
また他の手段は、前記目的を達成するために、吹出し経路に設けられ送風ファンから吹き出された風の風向を変える風向可変手段と、前記風向可変手段を揺動させるモータを備えたことを特徴とする送風機能付き物干し昇降装置である。
【００１４】
この手段により、簡易な構造で広範囲に送風することのできる送風機能付き物干し昇降装置が得られる。
【００１５】
また他の手段は、前記目的を達成するために、吹出し経路の両側に設けられ送風ファンから吹き出された風の風向を変える風向風向可変手段と、前記風向可変手段を揺動させるモータを備え、竿に直接衣類を掛けた場合には、前記風向可変手段を用いて吹出し口の幅を狭くし、衣類に向けて集中的に送風できるようにしたことを特徴とする送風機能付き物干し昇降装置である。
【００１６】
この手段により、竿に直接衣類を掛けた場合に、衣類に向けて集中的に送風できる送風機能付き物干し昇降装置が得られる。
【００１７】
また他の手段は、前記目的を達成するために、竿を筐体内部に収納したときに、風向可変手段を吹出し口の蓋として利用できるようにしたことを特徴とする送風機能付き物干し昇降装置である。
【００１８】
また他の手段は、内部に風が通る形状の竿を備えたことを特徴とする送風機能付き物干し昇降装置である。
【００１９】
この手段により、竿によって衣類への送風が遮られることのない送風機能付き物干し昇降装置が得られる。
【００２０】
また他の手段は、前記目的を達成するために、竿に内蔵され送風ファンから吹き出された風の風向を変える風向可変手段と、前記風向可変手段を揺動させるモータを備えたことを特徴とする送風機能付き物干し昇降装置である。
【００２１】
この手段により、主流の風が当たる位置で風向を変動させることのできる送風機能付き物干し昇降装置が得られる。
【００２２】
また他の手段は、前記目的を達成するために、竿の内部に送風ファンから吹き出された風を温める加熱手段を備えたことを特徴とする送風機能付き物干し昇降装置である。
【００２３】
この手段により、圧力損失を発生させることなく衣類に温風を当てることのできる送風機能付き物干し昇降装置が得られる。
【００２４】
また他の手段は、前記目的を達成するために、送風ファンから吹き出された風を受けても竿に掛けられた干し具の位置が移動しないように、表面に凹凸がある形状の竿を備えたことを特徴とする送風機能付き物干し昇降装置である。
【００２５】
この手段により、風を受けても竿に掛けられた干し具の位置が移動しない送風機能付き物干し昇降装置が得られる。
【００２６】
また他の手段は、前記目的を達成するために、筐体内部に内蔵され室内の空気を排気する換気装置と、前記換気装置と屋外とを連通させるダクトを備えたことを特徴とする送風機能付き物干し昇降装置である。
【００２７】
この手段により、衣類周辺の空気を屋外に排出することのできる送風機能付き物干し昇降装置が得られる。
【００２８】
また他の手段は、前記目的を達成するために、筐体が設置された室内から空気を吸い込む吸込み経路を備え、前記送風機能付き物干し昇降装置とは異なる部屋に設置され、送風機能付き物干し昇降装置を作動させるスイッチと、室内から空気を吸込む吸込み経路と、吸込み経路を切替える吸込み経路切替え手段と、前記吸込み経路切替え手段を制御する制御手段を備えた換気装置と連動して動き、前記送風機能付き物干し昇降装置と前記換気装置を連結するダクトを備え、前記送風機能付き物干し昇降装置のスイッチと前記換気装置のスイッチの状態により、前記制御手段が前記吸込み経路切替え手段を用いて前記送風機能付き物干し昇降装置と前記換気装置との間で吸込み経路を選択できるようにしたことを特徴とする送風機能付き物干し昇降装置である。
【００２９】
この手段により、別室に設置された換気装置を経由して衣類周辺の空気を屋外に排出することのできる送風機能付き物干し昇降装置が得られる。
【００３０】
また他の手段は、前記目的を達成するために、送風機能付き物干し昇降装置を作動させるスイッチと、空気を吹出す吹出し経路と、前記吹出し経路内部に設置され吹出し空気を加熱する加熱手段と、吹出し経路を切替える吹出し経路切替え手段と、前記吹出し経路切替え手段を制御する制御手段とを備えた加熱送風装置と連動して動き、前記送風機能付き物干し昇降装置と前記加熱送風装置とを連結するダクトを備え、前記送風機能付き物干し昇降装置のスイッチと前記加熱送風装置のスイッチの状態により、前記制御手段が前記吹出し経路切替え手段を用いて前記送風機能付き物干し昇降装置と前記加熱送風装置との間で吹出し経路を選択できるようにしたことを特徴とする送風機能付き物干し昇降装置である。
【００３１】
この手段により、加熱送風装置から供給された温風を吹き出すことのできる送風機能付き物干し昇降装置が得られる。
【発明の効果】
【００３２】
本発明によれば、竿を筐体内部に納めることができ、竿の真上から送風することにより衣類を速く効率的に乾かすことができ、かつ横幅が小さいため外観の良い送風機能付き物干し昇降装置を提供することができる。
【００３３】
また２本の竿を備えた送風機能付き物干し昇降装置を提供することができ、一台でより多くの衣類を乾燥させることができるという効果も得られる。
【００３４】
また風を広範囲に送ることができ、衣類に対して隈なく風を当てることにより衣類の乾燥をさらに速くするという効果も得られる。
【００３５】
また衣類周辺の空気を排気することができ、衣類の乾きやすい環境を作るとともに、室内でカビが生えることを防止するという効果も得られる。
【００３６】
また衣類に温風を当てることができ、衣類の乾燥をさらに速くするとともに、湿度が高いために衣類が乾かない時期でも衣類を乾かすことができるという効果も得られる。
【発明を実施するための最良の形態】
【００３７】
本発明の請求項１記載の発明は、天井裏空間に埋設された筐体と、衣類を掛ける竿と、前記竿を吊るワイヤーと、前記筐体に内蔵され前記ワイヤーを巻き取る巻き取り装置と、前記巻き取り装置を動かすモータと、前記筐体に内蔵され風を吹出す送風ファンと、前記送風ファンの風路を形成するケーシングと、前記送風ファンを動かすモータと、前記２個のモータを作動させるスイッチを備え、前記送風ファンの回転軸が前記竿の軸と平行になるように前記送風ファンを設置し、前記筐体内部でかつ前記送風ファンの吹出し経路に前記竿を収納できるようにしたことを特徴とする送風機能付き物干し昇降装置であり、筐体の高さを維持したまま竿を筐体内部、吹出し経路、吹出し風路に収納することができる。また竿はいつでも吹出し経路の鉛直下方にあるので、竿の真上から送風することができる。また筐体の横幅もケーシングが収まる分しか必要でないので、外観の良い送風機能付き物干し昇降装置を提供することができる。
【００３８】
また本発明の請求項２記載の発明は、所定の幅を保持して互いに平行になるように配置された２本の竿と、前記２本の竿それぞれに向けて風を吹出す送風ファンを備えた構成において、前記２個の送風ファンを前記２本の竿の収納位置に挟まれた領域に設置したことを特徴とする送風機能付き物干し昇降装置であり、２本の竿それぞれに向けて送風することができ、かつ筐体の横幅もケーシング２個が収まる分しか必要でないので、外観の良い送風機能付き物干し昇降装置を提供することができる。
【００３９】
また本発明の請求項３記載の発明は、ケーシングを揺動させるモータを備えたことを特徴とする送風機能付き物干し昇降装置であり、送風するときにケーシングを揺動させることにより、広範囲に送風することのできる送風機能付き物干し昇降装置を提供することができる。
【００４０】
また本発明の請求項４記載の発明は、吹出し経路に設けられ送風ファンから吹き出された風の風向を変える風向可変手段と、前記風向可変手段を揺動させるモータを備えたことを特徴とする送風機能付き物干し昇降装置であり、簡易な構造で広範囲に送風することのできる送風機能付き物干し昇降装置を提供することができる。
【００４１】
また本発明の請求項５記載の発明は、吹出し経路の両側に設けられ送風ファンから吹き出された風の風向を変える風向風向可変手段と、前記風向可変手段を揺動させるモータを備え、竿に直接衣類を掛けた場合には、前記風向可変手段を用いて吹出し口の幅を狭くし、衣類に向けて集中的に送風できるようにしたことを特徴とする送風機能付き物干し昇降装置であり、竿に直接衣類を掛けた場合に、衣類に向けて集中的に送風できる送風機能付き物干し昇降装置を提供することができる。
【００４２】
また本発明の請求項６記載の発明は、竿を筐体内部に収納したときに、風向可変手段を吹出し口の蓋として利用できるようにしたことを特徴とする送風機能付き物干し昇降装置であり、竿を収納したときの外観が良い送風機能付き物干し昇降装置を提供することができる。
【００４３】
また本発明の請求項７記載の発明は、内部に風が通る形状の竿を備えたことを特徴とする送風機能付き物干し昇降装置であり、竿によって衣類への送風が遮られることのない送風機能付き物干し昇降装置を提供することができる。
【００４４】
また本発明の請求項８記載の発明は、竿に内蔵され送風ファンから吹き出された風の風向を変える風向可変手段と、前記風向可変手段を揺動させるモータを備えたことを特徴とする送風機能付き物干し昇降装置であり、主流の風が当たる位置で風向を変動させることのできる送風機能付き物干し昇降装置を提供することができる。
【００４５】
また本発明の請求項９記載の発明は、竿の内部に送風ファンから吹き出された風を温める加熱手段を備えたことを特徴とする送風機能付き物干し昇降装置であり、圧力損失を発生させることなく送風ファンから吹出された空気を加熱することのできる送風機能付き物干し昇降装置を提供することができる。
【００４６】
また本発明の請求項１０記載の発明は、送風ファンから吹き出された風を受けても竿に掛けられた干し具の位置が移動しないように、表面に凹凸がある形状の竿を備えたことを特徴とする送風機能付き物干し昇降装置であり、風を受けても竿に掛けられた干し具の位置が移動しない送風機能付き物干し昇降装置を提供することができる。
【００４７】
また本発明の請求項１１記載の発明は、筐体内部に内蔵され室内の空気を排気する換気装置と、前記換気装置と屋外とを連通させるダクトを備えたことを特徴とする送風機能付き物干し昇降装置であり、衣類周辺の空気を屋外に排出することのできる送風機能付き物干し昇降装置を提供することができる。
【００４８】
また本発明の請求項１２記載の発明は、筐体が設置された室内から空気を吸い込む吸込み経路を備え、前記送風機能付き物干し昇降装置とは異なる部屋に設置され、送風機能付き物干し昇降装置を作動させるスイッチと、室内から空気を吸込む吸込み経路と、吸込み経路を切替える吸込み経路切替え手段と、前記吸込み経路切替え手段を制御する制御手段を備えた換気装置と連動して動き、前記送風機能付き物干し昇降装置と前記換気装置を連結するダクトを備え、前記送風機能付き物干し昇降装置のスイッチと前記換気装置のスイッチの状態により、前記制御手段が前記吸込み経路切替え手段を用いて前記送風機能付き物干し昇降装置と前記換気装置との間で吸込み経路を選択できるようにしたことを特徴とする送風機能付き物干し昇降装置であり、別室に設置された換気装置を経由して衣類周辺の空気を屋外に排出することのできる送風機能付き物干し昇降装置を提供することができる。
【００４９】
また本発明の請求項１３記載の発明は、送風機能付き物干し昇降装置を作動させるスイッチと、空気を吹出す吹出し経路と、前記吹出し経路内部に設置され吹出し空気を加熱する加熱手段と、吹出し経路を切替える吹出し経路切替え手段と、前記吹出し経路切替え手段を制御する制御手段とを備えた加熱送風装置と連動して動き、前記送風機能付き物干し昇降装置と前記加熱送風装置とを連結するダクトを備え、前記送風機能付き物干し昇降装置のスイッチと前記加熱送風装置のスイッチの状態により、前記制御手段が前記吹出し経路切替え手段を用いて前記送風機能付き物干し昇降装置と前記加熱送風装置との間で吹出し経路を選択できるようにしたことを特徴とする送風機能付き物干し昇降装置であり、加熱送風装置から供給された温風を吹出すことのできる送風機能付き物干し昇降装置を提供することができる。
【００５０】
以下、本発明の実施の形態について図面を参照しながら説明する。
【００５１】
（実施の形態１）
本発明の実施の形態１について、図１を参照しながら説明する。図１（ａ）は、本発明の実施の形態１における送風機能付き物干し昇降装置のＡ−Ａ´断面図である。図１（ｂ）は、本発明の実施の形態１における送風機能付き物干し昇降装置の衣類を掛けたときの状態を示すＢ−Ｂ´断面図である。図１（ｃ）は、本発明の実施の形態１における送風機能付き物干し昇降装置の竿を収納した状態を示すＢ−Ｂ´断面図である。
【００５２】
本発明の送風機能付き物干し昇降装置１は、天井裏空間に埋設された筐体２と、筐体２に内蔵された竿昇降部３および送風部４および室内壁面に設置されたスイッチ５で構成される。
【００５３】
竿昇降部３は、衣類を掛ける竿６と、竿６を吊るワイヤー７と、ワイヤー７を巻き取る巻き取り装置８と、竿６が回転しないようにワイヤー７を支持する支持具９で構成される。竿６は樹脂製で、上面に複数の切り込みを入れた形状とする。切り込みは衣類に向けて送風したときにハンガー等の干し具が落ちないようにするためのものであり、２〜３ｍｍ程度の深さがあればよい。ワイヤー７は濡れた衣類が多数竿に掛けられた場合にも対応できるように、十分な強度を持つワイヤーロープとする。巻き取り装置８はワイヤー７を巻きつけたドラムとスイッチ５からの信号を受けてドラムを回転させるモータで構成される。支持具９はワイヤー７を掛ける滑車と滑車を筐体に固定する金具からなる。
【００５４】
送風部４は、衣類に風を送る送風ファン１０と、送風ファン１０を回転させるモータ１１と、送風ファン１０の風路を形成するケーシング１２で構成される。送風ファン１０は金属製もしくは樹脂製のクロスフローファンとし、回転軸が竿６と平行になるように設置する。クロスフローファンは図１（ｂ）のように巻き取り装置８と縦に重ねて配置するため、筐体２が天井裏空間に収まるような大きさにする必要があるが、例えば直径１００ｍｍ程度であれば筐体２が天井裏空間に収まり、かつ衣類に向けて十分な量を送風することができる。送風ファン１０はシロッコファンとしてもよいが、その場合には十分な面積の吸込み経路が確保できるようにファンの大きさと間隔とを考慮しなければならない。モータ１１はスイッチ５に接続され、スイッチ５によって送風が指示された場合には送風ファン１０を回転させる。ケーシング１２は金属製もしくは樹脂製で、循環経路の外側を形成するリアガイダー１３と、循環経路の内側を形成するスタビライザー１４と、送風ファン１０の両端部でリアガイダー１３とスタビライザー１４を支持するサイドプレート１５で構成される。竿６を筐体２内部に収納するため、吹出し口の中央付近が支持具９を含む鉛直平面上に来るようにケーシング１２を配置し、またサイドプレート１５の竿が通過する領域には切り欠き１６を設ける。
【００５５】
次に、送風機能付き物干し昇降装置１の動作について説明する。送風機能付き物干し昇降装置１は、はじめは図１（ｃ）の状態にある。使用者がまずスイッチ５を操作して竿を降ろす指示を出すと、巻き取り装置８のモータがワイヤー７をドラムから解く方向にドラムを回転させ、竿６が降りる。使用者はスイッチ５を操作して適度な位置で竿６を止め、衣類を竿６に掛ける。その後使用者が再びスイッチ操作して竿を上げる指示を出すと、巻き取り装置８のモータがワイヤー７をドラムに巻きつける方向にドラムを回転させ、竿６が上がる。使用者がスイッチ５を操作して図１（ｂ）のように天井付近で竿６を止め、さらに送風の指示を出すと、モータ１１が作動して送風ファン１０が回転し、送風される。衣類の乾燥が終了したら使用者はスイッチ５を操作して送風を止め、はじめと同様にして竿６を降ろして衣類をはずし、最後に竿６を上げて図１（ｃ）のように筐体２の内部に収納する。
【００５６】
最後に、送風機能付き物干し昇降装置１の効果について説明する。前記構成によって図１（ｃ）のように、竿６をリアガイダー１３およびスタビライザー１４に挟まれた吹出し経路１７に収納することができる。これにより筐体２が天井裏空間に収まる高さになり、一般的な住宅の天井裏に送風機能付き物干し昇降装置１を設置することができる。また送風によって乾燥させた場合、送風がない場合よりも速く、しかも乾燥機を使用した場合と比較して非常に少ないエネルギーで衣類を乾燥させることができるが、衣類に風が当たらない部分があるとその部分の乾燥が遅く、結果として衣類全体の乾燥が遅くなってしまう。送風機能付き物干し昇降装置１において、竿６は衣類を掛けているときは図１（ｂ）のように筐体２の下方に吊られた状態になり、送風ファン１０からの風を前上から衣類に当てることにより、衣類の端部まで風に当たりやすくすることができ、衣類全体の乾燥が速くなる。また筐体２の横幅はケーシング１２の横幅と同等となり、竿昇降部３と送風部４を横にずらして配置した場合よりも横幅を小さくすることができるため、室内から見たときに圧迫感を与えることがなく、外観が良い。
【００５７】
（実施の形態２）
本発明の実施の形態２について、図２を参照しながら説明する。実施の形態１と同一部分は同一符号を附し詳細な説明は省略する。図２（ａ）は、本発明の実施の形態２における送風機能付き物干し昇降装置を示すＡ−Ａ´断面図である。図２（ｂ）は、本発明の実施の形態２における送風機能付き物干し昇降装置を示すＢ−Ｂ´断面図である。図２において、図１と同じ構成要素については同じ符号を用い、説明を省略する。
【００５８】
本発明の送風機能付き物干し昇降装置１８は、２本の竿および２本の送風ファンを有する。竿６と竿１９は互いに平行になるように配置する。また竿６と竿１９の両方にハンガー等の干し具を掛けた場合にそれぞれの干し具が重ならないように、竿６と竿１９は３００〜４００ｍｍ程度離すものとする。送風ファン１０は竿６に向かって送風し、送風ファン２０は竿１９に向かって送風するように構成する。
【００５９】
ここで、図２（ｂ）に示すように送風ファン１０および送風ファン２０を竿６と竿１９の収納位置に挟まれた領域に配置することにより、筐体２の横幅はケーシング１２およびケーシング２１を合わせた分の横幅と同等となり、いずれかの送風ファンを竿の外側に配置した場合よりも横幅を小さくすることができるため、室内から見たときに外観が良い。
【００６０】
（実施の形態３）
本発明の実施の形態３について、図３を参照しながら説明する。実施の形態１、２と同一部分は同一符号を附し詳細な説明は省略する。図３（ａ）は、本発明の実施の形態３における送風機能付き物干し昇降装置を示すＡ−Ａ´断面図である。図３（ｂ）は、本発明の実施の形態３における送風機能付き物干し昇降装置を示すＢ−Ｂ´断面図である。図３（ｃ）は、本発明の実施の形態３における送風機能付き物干し昇降装置の、ケーシングを揺動させた状態を示すＢ−Ｂ´断面図である。図３において、図１と同じ構成要素については同じ符号を用い、説明を省略する。
【００６１】
本発明の送風機能付き物干し昇降装置２２は、ケーシング１２を揺動させるためのモータ２３とカム２４と支持軸２５を備えている。モータ２３はスイッチ５に接続されている。また支持軸２５はケーシング１２を側面から２点で支持し、送風ファン１０の軸を延長した点で筐体２に接続するものである。これによりケーシング１２が送風ファン１０の軸を中心として回転することが可能になり、送風ファン１０とケーシング１２との距離が一定に保たれるため、ケーシング１２を揺動したときにも安定して一定量を送風することができる。なおケーシング１２の重量によっては、支持軸２５がケーシング１２を支持する点を３点以上に増やしたり、面的に支持したりしてもよい。支持軸２５はケーシング１２の両側に設置される。カム２４はモータ２３に付属した突起２６によって動かされ、モータ２３の回転運動を支持軸２５の往復運動に変換し得る形状とする。例えば図３（ｂ）および（ｃ）に示すようにカム２４を金属製もしくは樹脂製の枠とし、カム２４に支持軸２５の複数の軸を固定し、さらに突起２６を可動な状態で枠内に嵌め込んだ形状とする。
【００６２】
前記構成において、スイッチ５によって送風が指示された場合には、送風ファン１０が作動するとともにモータ２３が回転し、モータ２３の回転に伴って突起２６が回転し、カム２４の拘束によって支持軸２５が送風ファン１０の軸を中心とした回転往復運動をし、ケーシング１２が揺動される。ケーシング１２が揺動されることにより送風方向がモータ２３の回転周期に合わせて変動するため、ハンガーやピンチハンガー等の干し具に掛けられた衣類に向けて隈なく送風することができる。
【００６３】
（実施の形態４）
本発明の実施の形態４について、図４を参照しながら説明する。実施の形態１乃至３と同一部分は同一符号を附し詳細な説明は省略する。図４（ａ）は、本発明の実施の形態４における送風機能付き物干し昇降装置を示すＡ−Ａ´断面図である。図４（ｂ）は、本発明の実施の形態４における送風機能付き物干し昇降装置の、吹出し口の幅を狭くした状態を示すＢ−Ｂ´断面図である。図４（ｃ）は、本発明の実施の形態４における送風機能付き物干し昇降装置の、制御板を吹出し口の蓋として利用した状態を示すＢ−Ｂ´断面図である。図４において、図１と同じ構成要素については同じ符号を用い、説明を省略する。
【００６４】
本発明の送風機能付き物干し昇降装置２７は、吹出し口の両側に風向可変手段としての制御板２８および制御板２９を備え、またそれらの制御板を動かすためのモータ３０およびモータ３１を備えた構成である。制御板２８・２９の軸とモータ３０・３１の軸との間には回転運動が伝達するようにベルト３２・３３が掛けられている。モータ３０およびモータ３１はコントローラー３４に接続され、コントローラー３４は巻き取り装置８およびスイッチ５に接続されている。
【００６５】
前記構成において、スイッチ５によって風向の変動が指示された場合には、コントローラー３４がモータ３０およびモータ３１を同様に揺動させる。これにより制御板２８および制御板２９は同じ方向に振られ送風方向が変動するため、ハンガーやピンチハンガー等の干し具に掛けられた衣類に向けて隈なく送風することができる。この方法では吹出し口において風向を強制的に曲げることになるため、ケーシング１２を振る実施の形態３よりも送風の効率は悪い。しかし可動部が小さく機構としては簡単であるため壊れ難く、またコストを低く抑えることもできる。
【００６６】
また前記構成において、スイッチ５によって集中的な送風が指示された場合には、コントローラー３４は制御板２８および制御板２９が図４（ｂ）に示したように吹出し口を狭くするような位置でモータ３０およびモータ３１を保持する。このときの制御板２８および２９は垂直かあるいはそれよりも吹出し口内側に傾いた状態にする。ハンガー等の干し具を用いないで竿６に直接衣類を掛けたときには広範囲に送風する必要がないので、このように竿６に向けて集中的に送風させた方が効率よく衣類を乾燥させることができる。
【００６７】
また前記構成において、スイッチ５によって竿６の収納が指示された場合には、コントローラー３４が巻き取り装置８の動作が止まったことにより竿６が収納されたことを判断し、その後制御板２８および制御板２９が図４（ｃ）に示したように吹出し口を塞ぐ状態になる位置でモータ３０およびモータ３１を保持する。これにより制御板２８・２９が吹出し口の蓋になり、室内から送風機能付き物干し昇降装置２７を見上げたときに吹出し口の内部が見えることがなく、外観が良い。なお吸込み口については圧力損失が大きくならない範囲で樹脂製のフィルターを設置することにより、外観を良くすることができる。
【００６８】
（実施の形態５）
本発明の実施の形態５について、図５を参照しながら説明する。実施の形態１乃至４と同一部分は同一符号を附し詳細な説明は省略する。図５（ａ）は、本発明の実施の形態５における竿を示す立面図である。図５（ｂ）は、本発明の実施の形態５における竿のＡ−Ａ´断面図である。図５において、図１と同じ構成要素については同じ符号を用い、説明を省略する。
【００６９】
本発明の送風機能付き物干し昇降装置の竿３５は、直径３ｍｍ程度の棒をリングで留めた形状の竿である。このような形状にすることにより、竿３５は濡れた衣類の重量を支えることができ、かつ内部に風を通すことができる。棒の本数は、少ないと干し具および衣類の重量が特定の棒に集中してしまうことになるが、逆に多いと風を遮ることになってしまうので、６本程度がよい。またリングはハンガーの位置を固定するために７ｍｍ程度の間隔を開けて２つを１組にして設置するのがよい。棒およびリングは曲げに対して強度の高い金属製、例えば鋼鉄製とする。また竿３５は内部に風向可変手段としての制御板３６を備え、制御板３６を揺動させるモータ３７を竿３５の端部に設置する構造とし、モータ３７はコントローラーを介してスイッチ５に接続されるようにする。制御板３６は内部に加熱手段としての伝熱線３８を備え、伝熱線３８はスイッチ５に接続されるようにする。
【００７０】
次に竿３５の動作および効果を説明する。スイッチ５によって送風が指示されると、モータ３７および伝熱線３８が作動する。モータ３７はコントローラーによって正反転を繰りかえすように動き、制御板３６を左右に揺動する。制御板３６が揺動することにより、主流の風が当たる位置で風向を変動させることができる。主流の風を制御板３６で竿３５の右側に振っている間、竿３５の左側には副流の風が流れており、逆側に振ったときも同様である。このように副流の風によって衣類表面には常にある程度の風速を発生させておきながら、同時に主流の風によって衣類の重なった面に強制的に風を送ることができ、ハンガーやピンチハンガー等の干し具に掛けられた衣類に向けて効率的に送風することができる。また制御板３６が伝熱線３８によって温められているため、送風経路に圧力損失を発生させることなく衣類に温風を当てることができる。これにより十分な送風量を確保しながら衣類を温めることができるので乾燥が速くなり、しかも梅雨時のように周囲が高湿度のときでも衣類を乾燥させることができる。
【００７１】
（実施の形態６）
本発明の実施の形態６について、図６を参照しながら説明する。実施の形態１乃至５と同一部分は同一符号を附し詳細な説明は省略する。図６（ａ）は、本発明の実施の形態６における送風機能付き物干し昇降装置を示すＡ−Ａ´断面図である。図６（ｂ）は、本発明の実施の形態６における送風機能付き物干し昇降装置を示すＢ−Ｂ´断面図である。
【００７２】
本発明の送風機能付き物干し昇降装置３９は、実施の形態２に示した送風機能付き物干し昇降装置１８の形を基本として、さらにケーシング１２上部に設置された換気装置４０と、換気装置４０を動かすモータ４１と、換気装置４０の吹出し口と屋外空間とを連通させるダクト４２を備えている。換気装置４０はシロッコファンとする。換気装置４０は高さに制限がある分、ファンの直径を大きくして風量を確保する必要がある。このため実施の形態１に示したような送風ファンおよび竿を１本ずつ備えた送風機能付き物干し昇降装置に換気装置４０を入れた場合には、換気装置４０のために横幅が大きくなってしまい、外観の良さが損なわれてしまう。しかし実施の形態２に示したような送風ファンおよび竿を２本ずつ備えた送風機能付き物干し昇降装置１８に換気装置４０を入れた場合には、横幅をケーシング２個分のままとすることができ、外観の良さを損なうことなく換気機能を付与することができる。
【００７３】
（実施の形態７）
本発明の実施の形態７について、図７を参照しながら説明する。実施の形態１乃至６と同一部分は同一符号を附し詳細な説明は省略する。図７（ａ）は、本発明の実施の形態７における送風機能付き物干し昇降装置および換気送風装置を示す斜視図である。図７（ｂ）は、本発明の実施の形態７における送風機能付き物干し昇降装置および換気送風装置を示す断面図である。
【００７４】
本発明の送風機能付き物干し昇降装置４３は、換気装置および加熱送風装置としての換気送風装置４４と連動して動く換気および加熱送風システムの一部である。送風機能付き物干し昇降装置４３が設置された部屋を部屋４５、換気送風装置４４が設置された部屋を部屋４５とは異なる部屋として部屋４６とする。
【００７５】
換気送風装置４４は、換気ファン４７と、部屋４６に連通する第一吸込み経路４８と、部屋４５に連通する第二吸込み経路４９と、屋外に連通する排気用のダクト５０を備え、第二吸込み経路４９はダクト５１に接続され、ダクト５１は送風機能付き物干し昇降装置４３に接続され、また第一吸込み経路４８と第二吸込み経路４９との間で風路を切替えるダンパー５２を備えている。換気ファン４７はシロッコファンとする。換気ファン４７およびダンパー５２はコントローラー５３に接続され、コントローラー５３はスイッチ５４および送風機能付き物干し昇降装置４３のスイッチ５に接続されている。またダクト５１は送風機能付き物干し昇降装置４３の筐体２に接続され、ケーシング１２と筐体２との間の隙間から空気を吸い込むようになっている。
【００７６】
前記構成における換気機能の動作について説明する。スイッチ５４によって換気が指示された場合、換気ファン４７が第一吸込み経路４８から空気を吸い込むようにコントローラー５３がダンパー５２を制御し、換気送風装置４４は部屋４６の空気を排気する。このときスイッチ５によって換気が指示されても、スイッチ５４の指示が優先されるようにする。またスイッチ５４によって換気が指示されておらず、かつスイッチ５によって換気が指示された場合、換気ファン４７が第二吸込み経路４９から空気を吸い込むようにコントローラー５３がダンパー５２を制御し、換気送風装置４４は部屋４５の空気を排気する。このように送風機能付き物干し昇降装置４３と換気送風装置４４を連動させることにより、容積的な制限を受ける送風機能付き物干し昇降装置４３に換気装置を搭載することなく、部屋４６に設置された十分な大きさの換気装置を経由して部屋４５の衣類周辺の空気を屋外に排出することができるようになる。部屋４５は脱衣室、部屋４６は浴室を想定しており、入浴後など浴室の湿気を排出したいときは浴室から排気し、脱衣室に干した衣類の湿気を排出したいときは脱衣室から排気するというように使い分けることによって効率的な換気を実現できる。なお部屋４５と部屋４６を同時に換気したいときには、部屋４５の窓を開け、かつ部屋４６の窓を閉めて部屋４６から排気すればよい。また部屋４５あるいは部屋４６のみを換気したいときには排気する部屋の窓を開ければよい。
【００７７】
また換気送風装置４４は、送風ファン５５と、ヒーター５６と、部屋４６に連通する第一吹出し経路５７と、部屋４５に連通する第二吹出し経路５８と、第一吹出し経路５７と第二吹出し経路５８との間で風路を切替えるダンパー５９を備え、第二吹出し経路５８はダクト６０に接続され、ダクト６０は送風機能付き物干し昇降装置４３の吸込み経路に温風を吹出すようになっている。送風ファン５５は金属製のシロッコファンとし、ヒーター５６はＰＴＣヒーターとする。このとき、送風機能付き物干し昇降装置４３の送風ファン１０およびケーシング１２も高温に耐えられるように金属製とする。また送風ファン５５およびダンパー５９およびヒーター５６はコントローラー５３に接続されている。
【００７８】
前記構成における加熱送風機能の動作について説明する。スイッチ５４によって温風の吹出しが指示された場合、送風ファン５５が第一吹出し経路５７から空気を吹出すようにコントローラー５３がダンパー５９を制御し、またヒーター５６を作動させ、換気送風装置４４は部屋４６に温風を吹出す。このときスイッチ５によって温風の吹出しが指示されても、スイッチ５４の指示が優先されるようにする。またスイッチ５４によって温風の吹出しが指示されておらず、かつスイッチ５によって温風の吹出しが指示された場合、送風ファン５５が第二吹出し経路５８から空気を吹出すようにコントローラー５３がダンパー５９を制御し、またヒーター５６を作動させ、換気送風装置４４は部屋４５に温風を吹出す。部屋４５は脱衣室、部屋４６は浴室を想定しており、入浴前に浴室を温めたいときには浴室に温風を吹出し、脱衣室に干した衣類を速く乾かしたいときには送風機能付き物干し昇降装置４３から温風を吹出すというように使い分けることによって、浴室に設置された換気送風装置４４で衣類に温風を当てることができる。
【産業上の利用可能性】
【００７９】
以上のように、本発明の送風機能付き物干し昇降装置は、衣類を干すために竿を昇降させ、衣類に向けて送風することで衣類を速く効率的に乾燥させるものであり、浴室や洗面脱衣室のほか、リビング、衣類収納室、ベランダ等にも適用することができる。
【図面の簡単な説明】
【００８０】
【図１】本発明の実施の形態１における送風機能付き物干し昇降装置を示す図（（ａ）送風機能付き物干し昇降装置を示すＡ−Ａ´断面図、（ｂ）送風機能付き物干し昇降装置の衣類を掛けたときの状態を示すＢ−Ｂ´断面図、（ｃ）送風機能付き物干し昇降装置の竿を収納した状態を示すＢ−Ｂ´断面図）
【図２】本発明の実施の形態２における送風機能付き物干し昇降装置を示す図（（ａ）送風機能付き物干し昇降装置を示すＡ−Ａ´断面図、（ｂ）送風機能付き物干し昇降装置を示すＢ−Ｂ´断面図）
【図３】本発明の実施の形態３における送風機能付き物干し昇降装置を示す図（（ａ）送風機能付き物干し昇降装置を示すＡ−Ａ´断面図、（ｂ）送風機能付き物干し昇降装置を示すＢ−Ｂ´断面図、（ｃ）送風機能付き物干し昇降装置のケーシングを揺動させた状態を示すＢ−Ｂ´断面図）
【図４】本発明の実施の形態４における送風機能付き物干し昇降装置を示す図（（ａ）送風機能付き物干し昇降装置を示すＡ−Ａ´断面図、（ｂ）送風機能付き物干し昇降装置の吹出し口の幅を狭くした状態を示すＢ−Ｂ´断面図、（ｃ）送風機能付き物干し昇降装置の制御板を吹出し口の蓋として利用した状態を示すＢ−Ｂ´断面図）
【図５】本発明の実施の形態５における竿を示す図（（ａ）竿を示す立面図、（ｂ）竿を示すＡ−Ａ´断面図）
【図６】本発明の実施の形態６における送風機能付き物干し昇降装置を示す図（（ａ）送風機能付き物干し昇降装置を示すＡ−Ａ´断面図、（ｂ）送風機能付き物干し昇降装置を示すＢ−Ｂ´断面図）
【図７】本発明の実施の形態７における送風機能付き物干し昇降装置および換気送風装置を示す図（（ａ）送風機能付き物干し昇降装置および換気送風装置を示す斜視図、（ｂ）送風機能付き物干し昇降装置および換気送風装置を示す断面図）
【図８】特許文献１における物干し昇降装置を示す断面図
【図９】特許文献２における送風機能付き物干し昇降装置を示す断面図
【符号の説明】
【００８１】
１    送風機能付き物干し昇降装置
２    筐体
５    スイッチ
６    竿
７    ワイヤー
８    巻き取り装置
１０  送風ファン
１１  モータ
１７  吹出し経路
１８  送風機能付き物干し昇降装置
１９  竿
２０  送風ファン
２２  送風機能付き物干し昇降装置
２３  モータ
２７  送風機能付き物干し昇降装置
２８  制御板
２９  制御板
３０  モータ
３１  モータ
３５  竿
３６  制御板
３７  モータ
３８  伝熱線
３９  送風機能付き物干し昇降装置
４０  換気装置
４１  モータ
４２  ダクト
４３  送風機能付き物干し昇降装置
４４  換気送風装置
４５  部屋
４６  部屋
４７  換気ファン
４８  第一吸込み経路
５０  ダクト
５１  ダクト
５２  ダンパー
５３  コントローラー
５４  スイッチ
５５  送風ファン
５６  ヒーター
５７  第一吹出し経路
５９  ダンパー
６０  ダクト
【図１】
2008220552.tif 000003
【図２】
2008220552.tif 000004
【図３】
2008220552.tif 000005
【図４】
2008220552.tif 000006
【図５】
2008220552.tif 000007
【図６】
2008220552.tif 000008
【図７】
2008220552.tif 000009
【図８】
2008220552.tif 000010
【図９】
2008220552.tif 000011